(57)【要約】【課題】救命胴衣として用いることができる枕を提供する。【解決手段】枕１は、枕カバー２と、枕カバー２の内部に収納される枕本体３とを備えており、枕本体３は、前身６頃と後身９頃とを備え着用可能な衣服部５と、スポンジ状の浮力発生部材１２を備えている。これによって、停電のために照明を点けることができない就寝中に津波や洪水などの警報が発令された場合でも、時間を掛けずに枕カバー２を取り外して枕本体３を救命胴衣として着用することができるので、避難に要する時間を短縮することができる。【選択図】図７
2015051239.tif 000002
【特許請求の範囲】
【請求項１】
枕カバーと、
枕カバーの内部に収納される枕本体とを備えた枕において、
前記枕本体は、
前身頃と後身頃とを備え着用可能な衣服部と、
スポンジ状の浮力発生部材と
を備えていることを特徴とする枕。
【請求項２】
前記浮力発生部材は、前記前身頃および／または前記後身頃に収納されることを特徴とする請求項１に記載の枕。
【請求項３】
前記浮力発生部材は板状に形成されており、
前記前身頃と前記後身頃とには複数枚の浮力発生部材を収納可能であることを特徴とする請求項１に記載の枕。
【請求項４】
前身頃と後身頃とは同一形状であることを特徴とする請求項１〜３のいずれか１項に記載の枕。
【請求項５】
前記衣服部の生地が伸縮性を備えていることを特徴とする請求項１〜４のいずれか１項に記載の枕。
【発明の詳細な説明】
【技術分野】
【０００１】
本発明は、災害時には救命胴衣として使用することができる枕に関する。
【背景技術】
【０００２】
従来、小型船舶に乗船するときなどに着用する救命胴衣や、釣りをするときに着用するベストの内部に浮力を発生する素材を収納して、水中に転落したときに浮力を発生させるものがあるが、津波や洪水などの災害に備えてこれらの救命胴衣やベストを家屋などに備え付ける場合がある。
【先行技術文献】
【特許文献】
【０００３】
【特許文献１】特開２００７−２０３７７０号公報
【発明の概要】
【発明が解決しようとする課題】
【０００４】
ところが、災害発生時にタンスなどの救命胴衣を保管している保管場所が分からず、救命胴衣を探し出すのに時間が掛かる場合が考えられる。とくに、夜間の就寝中に地震が発生して、停電のために照明を点けることができない状態で津波や洪水などの警報が発令された場合には、救命胴衣を短時間で見つけて着用することが難しいと思われる。就寝中に災害が発生した場合に、時間を掛けずに救命胴衣を取り出して着用することができれば、避難に要する時間を短縮することができる。
【０００５】
本発明の主な目的は、救命胴衣として用いることができる枕を提供することである。
【課題を解決するための手段及び発明の効果】
【０００６】
上記目的を達成するために、本発明の一の枕によれば、枕カバーと、枕カバーの内部に収納される枕本体とを備えた枕において、枕本体は、前身頃と後身頃とを備え着用可能な衣服部と、スポンジ状の浮力発生部材を備えている。
【０００７】
上記構成によると、夜間の就寝時に災害が発生した場合でも、枕カバーを取り外して枕本体を救命胴衣として着用することができる。
【０００８】
また、浮力発生部材は前記前身頃および／または前記後身頃に収納される。
【０００９】
上記構成によると、浮力発生部材は衣服部の前身頃および／または後身頃に収納されているので短時間で枕本体を救命胴衣として着用することができる。
【００１０】
また、浮力発生部材は板状に形成されており、前記前身頃と前記後身頃とには複数枚の浮力発生部材を収納可能である。
【００１１】
上記構成によると、浮力発生部材の板厚や枚数を調整して浮力の調整をすることができる。
【００１２】
また、前身頃と後身頃とは同一形状である。
【００１３】
上記構成によると、前後の向きを気にせずに枕本体を救命胴衣として着用することができる。
【００１４】
また、衣服部の生地は伸縮性を備えている。
【００１５】
上記構成によると、体格の異なる複数の人が着用することができる。
【図面の簡単な説明】
【００１６】
【図１】本発明の一実施形態に係る枕の外観図である。
【図２】枕の断面図である。
【図３】枕本体の斜視図である。
【図４】枕本体の断面図である。
【図５】枕本体の断面図である。
【図６】浮力発生部材の斜視図である。
【図７】枕本体を救命胴衣として着用した状態の斜視図である。
【図８】衣服部の裾に固定用の紐を設けた枕本体の斜視図である。
【発明を実施するための形態】
【００１７】
以下、本発明の第１の実施形態について図面に基づいて説明する。ただし、以下に示す実施例は、本発明の技術思想を具体化するための枕を例示するものであって、枕を以下のものに特定するものではない。
【００１８】
図１は本発明の一実施形態に係る枕１の斜視図である。図２は枕１のＩＩ−ＩＩ断面図である。図３は枕カバー２の内部に収納されている枕本体３の斜視図である。図４は枕本体３のＩＶ−ＩＶ断面図である。図５は枕本体３のＶ−Ｖ断面図である。図６は浮力発生部材１２の斜視図である。図７は枕本体３を救命胴衣として着用した状態の斜視図である。
【００１９】
枕１は、枕カバー２と枕カバー２に収納される枕本体３とを備えている。枕カバー２は、寝具店などで一般に販売されているものが使用される。枕カバー２は、綿やポリエステルなどの生地を用いたもので、たとえば縦４３ｃｍ×横６３ｃｍものが用いられる。子供用の枕カバー２としては、たとえば縦３５ｃｍ×横５０ｃｍものが用いられる。枕カバー２の開口部にはファスナー４が縫い付けられており、このファスナー４を開閉して枕本体３を出し入れすることができる。
【００２０】
枕本体３は、Ｔシャツ状に形成された衣服部５を備えている。衣服部５は、たとえばナイロンとポリウレタンとを含んだ軽量で伸縮性がある生地が用いられる。衣服部５の前身頃６を構成する内側の生地７と外側の生地８との間、および衣服部５の後身頃９を構成する内側の生地１０と外側の生地１１との間には、各々浮力発生部材１２が収納されている。
浮力発生部材１２の材料としては、たとえばスポンジ状のＮＢＲ（Nitril Butadiene Rubber）が用いられる。ＮＢＲは吸水性が低く、柔軟性が高い。
【００２１】
浮力発生部材１２は、平面視が長方形の板状に形成されており、前身頃６と後身頃９とに２枚ずつ収納される。スポンジ状のニトリルゴムは軽量であり、枕本体３を軽くすることができるので、とくに女性や高齢者が着用した場合に体に掛かる負担を軽減することができる。さらに、スポンジ状のニトリルゴムは柔軟性が高いので、体に添った状態で着用することができ、着心地が良い。
【００２２】
前身頃６に収納される浮力発生部材１２ａは、前身頃６を構成する内側の生地７の下端と外側の生地８の下端との間から収納される。その後に、内側の生地７の下端と外側の生地８の下端とが縫い合わされる。後身頃９に収納される浮力発生部材１２ｂは、後身頃９を構成する内側の生地１０の下端と外側の生地１１の下端との間から収納される。その後に、内側の生地１０の下端と外側の生地１１の下端とが縫い合わされる。これによって、浮力発生部材１２ａ，１２ｂが衣服部５から不用意に抜け落ちることを確実に防止することができる。
【００２３】
本実施の形態においては、浮力発生部材１２を前身頃６と後身頃９とに各々収納しているが、これに限定されるものではなく、浮力発生部材１２を前身頃６と後身頃９とのどちらか一方に収納するものでも良い。また、浮力発生部材１２ａ，１２ｂは同じ板厚としているが複数種類の板厚のものを収納しても良い。このようにすると、使用者の体格に合わせて使用者に掛かる浮力を細かく調整することができる。
【００２４】
本実施の形態において、衣服部５はＴシャツ状に形成されているので、衣服部５を着用するとき、ボタンを掛けたりファスナーを閉じたりしなくてもよい。衣服部５を頭から被って、短時間で簡単に着用することができる。衣服部５の前身頃６と後身頃９とは同じ形状とされており、夜間、照明が点いていない状態でも、衣服部５の前後の向きを気にすることなく、枕本体３を枕カバー２から手探りで取り出して着用することができる。さらに衣服部５の生地は伸縮性があるので、枕本体３のサイズを気にすることなく体格が異なる複数の人が着用することができる。
【００２５】
浮力発生部材１２は衣服部５の前身頃６の内部と後身頃９の内部とに収納されているが、これに限定されるものではない。たとえば前身頃６の外側と後身頃９の外側とに不図示のポケットを形成し、このポケットに浮力発生部材１２を収納するものでもよい。
【００２６】
また図８に示すように、枕本体の衣服部の裾に固定用の紐１５を設けて、衣服部の裾を使用者の腰に固定することもできる。紐１５は衣服部の裾の内側に設けられており、使用者の腰に巻き付ける紐１５の長さは調整具１６によって調整することができる。これによって、津波などの災害時に、使用者が救命胴衣として着用した枕本体が、ずれたり体からはずれたりすることを防止することができる。
【００２７】
枕本体３の衣服部に不図示の内ポケットを設けることもできる。内ポケットに通帳や印鑑などの貴重品を収納しておくことによって、災害時に貴重品を確実に持ち出すことができる。
【００２８】
さらに、枕本体３の衣服部５の胸部や背部に不図示の反射板を縫い付けて人目に付き易くすることもできる。
【００２９】
枕１は、個人が使用する場合に限定されるものではない。たとえば、保育園や幼稚園の園児が昼寝をするとき使用することができる。あるいは老人ホームや病院などで枕として使用することもできる。枕１は、特にこのような災害時の避難に時間が掛かると思われる施設で有効に利用することができる。
【産業上の利用可能性】
【００３０】
本発明の枕は、通常は枕として使用することができ、災害時には救命胴衣として好適に利用することができる。
【符号の説明】
【００３１】
１…枕
２…枕カバー
３…枕本体
４…ファスナー
５…衣服部
６…前身頃
７…内側の生地
８…外側の生地
９…後身頃
１０…内側の生地
１１…外側の生地
１２，１２ａ，１２ｂ…浮力発生部材
１５…紐
１６…調整具
【図１】
2015051239.tif 000003
【図２】
2015051239.tif 000004
【図３】
2015051239.tif 000005
【図４】
2015051239.tif 000006
【図５】
2015051239.tif 000007
【図６】
2015051239.tif 000008
【図７】
2015051239.tif 000009
【図８】
2015051239.tif 000010